(57)【要約】【課題】この発明の目的は、掻き心地が良く、安全性が高く、しかも、体裁の良い耳掻きを提供することにある。【解決手段】柄部２と、弾力性を有する棒状部４と、柄部２とは反対側の棒状部４に耳掻き部３を有し、柄部２と棒状部４との間はスウェージング加工で形成され、柄部２には装飾体５が配設されている。耳掻き部３を耳孔の内面に強く押しつけても棒状部４が弾性変形して押し付け力を緩和して耳孔の内面が傷付くのを防止し、また、一体に形成するので使用中に折れたりする恐れがなく安全性も高い。しかも、柄部２に設けた装飾体５によって装飾効果を発揮する。【選択図】　　　　図１
2004136014.tif 000002
【特許請求の範囲】
【請求項１】
柄部と、この柄部に連続して一体に形成されるとともに、柄部よりも小径の棒状部を有し、この棒状部の前記柄部とは反対側の端部に耳掻き部が一体に設けられた耳掻きにおいて、前記柄部に装飾体を設けたことを特徴とする耳掻き。
【請求項２】
前記柄部と棒状部との間はスウェージング加工によって柄部から順次小径に形成されて小径の棒状部に連続するように構成され、これにより前記棒状部を弾性変形可能に構成した請求項１記載の耳掻き。
【請求項３】
前記柄部は、その中央部分が小径に形成され、この小径部に装飾体が配設されている請求項２記載の耳掻き。
【請求項４】
前記柄部には、その棒状部と反対側の端部を覆った状態で装飾体が設けられている請求項２記載の耳掻き。
【請求項５】
前記装飾体は、差し込み、張り合わせ、挟み込み、巻き付け、転写等の手段によって前記柄部に設けられている請求項３、４記載の耳掻き。
【請求項６】
前記装飾体は樹脂材、金属、木、竹、ガラス、セルロイド、鼈甲等で形成されている請求項３、４記載の耳掻き。
【発明の詳細な説明】
【０００１】
【発明の属する技術分野】
この発明は耳掻きに関し、特に、掻き心地が良く、安全性が高い耳掻きに関するものである。
【０００２】
【従来技術およびその問題点】
従来の耳掻きの一例を図５に示す。すなわち、この耳掻き２１は、竹、金属、プラスチック等を素材として形成されるものであって、板状の柄部２２と、柄部２２の先端部に一体に形成される湾曲形状の耳掻き部２３とを具えている。
【０００３】
そして、このような構成の耳掻き２１によって耳垢を掻き出すには、柄部２２を手で持って耳掻き部２３を耳孔内に挿入し、耳掻き部２３を耳孔内の耳垢に押し当てて柄部２２を引き出せば良いものである。
【０００４】
【発明が解決しようとする課題】
しかしながら、上記のように構成されている従来の耳掻き２１にあっては、柄部２２に弾力性がなくて全体が硬く形成されているために、柄部２２を手で操作する時の力の加減が非常に難しく、力を入れ過ぎた場合には耳掻き部２３が耳孔の内面に強く押し当てられて傷を付けてしまったり、力が足りない場合には耳垢を綺麗に除去できなかったりする不具合があり、掻き心地が悪く、安全性にも問題があった。特に、他の人に耳を掻いてもらう場合には、強く掻き過ぎてしまう場合が多かった。
【０００５】
一方、上記のような問題を解決した耳掻きが特開平６−３４３５７２号公報に示されている。この耳掻きは、柄部と耳掻き部とを弾力性のある素材で形成したものを連結して一体とし、弾力性のある素材自体の弾性変形により、耳掻き部から耳孔の内面に加わる力を和らげるように構成したものである。
【０００６】
しかしながら、このような構成を有する耳掻きにあっては、弾力性のある素材と柄部および耳掻き部との接合状態の如何によっては、使用中に接合部から耳掻きが折れてしまい、折れ片が耳孔内に残ってしまうといった危険性があり、安全性の面で問題があった。
【０００７】
さらに、柄部には素材自体が表出しているので体裁が良いものでは無かった。
【０００８】
この発明の目的は、柄部および耳掻き部とを最初から一体に形成し、しかもこの一体に形成した柄部には装飾用の部材を配設することにより、掻き心地が良く、安全性が高く、しかも体裁が良い耳掻きを提供することにある。
【０００９】
【問題点を解決するための手段】
上記の目的を達成するためにこの発明は、柄部と、この柄部に連続して一体に形成されるとともに、柄部よりも小径の棒状部を有し、前記柄部とは反対側の前記棒状部に耳掻き部が一体に設けられた耳掻きにおいて、前記柄部に装飾体を設けた構成を有している。
また、前記柄部と棒状部との間はスウェージング加工によって柄部から順次小径に形成されて小径の棒状部に連続するように構成され、これにより前記棒状部が弾性変形可能に構成してあり、前記柄部は、その中央部分あるいは棒状部と反対側の端部を覆った状態で装飾体が設けられている。そして前記装飾体は、差し込み、張り合わせ、挟み込み、巻き付け、転写等の手段によって前記柄部に設けられており、前記装飾体の材料としては樹脂材、金属、木、竹、ガラス、セルロイド、鼈甲等で形成されている。
【００１０】
【作用】
この発明は前記の構成を有しているので、柄部と耳掻き部との間に位置する棒状部が弾力性を有しているので、耳掻き部を耳孔の内面に強く押し当ててもその力を緩和することができる。これにより、耳孔の内面を傷付けることがなく安全性が高い。しかも、柄部には装飾体が設けられているので、装飾的効果が発揮される。
【００１１】
【発明の実施の形態】
以下、図面に示すこの発明の実施の形態について説明する。
図１、図２には、この発明による耳掻きの一実施の形態が示されていて、この耳掻き１は、丸棒状の柄部２と、柄部２の先端部に設けられる湾曲形状（略Ｃ字形状）の耳掻き部３とを具えている。
【００１２】
柄部２および耳掻き部３は、ばね性を有する金属を素材として一体に形成されるものであって、金属としては、β形チタン合金、ニッケルチタン合金等が挙げられるがこれに限定することなく同様にばね性を有するものであれば良い。
【００１３】
柄部２と耳掻き部３との境界部はダイス装置によるスウェージング加工によって柄部２から順次小径に形成される。そののちさらにスウェージング加工によってその小径の状態で棒状に形成されることで棒状部４が形成され、そののちに大きな耳掻き部３が形成されるようになっている。
この棒状部４は他の部分（柄部２及び耳掻き部３）よりも小径となっているで柔らかく形成され、したがって他の部分よりも柔らかい弾性力（ばね性）が付加されている。
【００１４】
さらに、前記柄部２の中央部分が小径部６に形成されるとともに、この小径部６に、熱収縮性のあるチューブ等からなる装飾体５を位置させたものであり、このチューブ５が柄部２の模様を形成して体裁を良くするようになっている。
【００１５】
上記のように柄部２の中央部分を小径部６に形成する手段としては、ダイス装置によるスウェージング加工が採用される。すなわち、柄部２の一方と小径部６との間をダイスで加工してスウェージング加工を施すと一方の柄部２と小径部６との間を略９０°に形成することができ、さらに柄部２を前記とは逆向きのダイス装置によってスウェージング加工を施せば前記小径部６の他方に柄部２を形成でき、小径部６と他方の柄部２との間を略９０°に形成することができる。
これによって柄部２の中央部分を９０°の段差で小径部６に形成することができる。
【００１６】
さらに、この小径部６に合致する装飾体５を被嵌すると、中央部分に装飾体５が一体に設けられて装飾された柄部２が形成されることになる。
【００１７】
なお、装飾体５としては、熱収縮性を有するチューブに限定することなく、チューブを差し込んだり、湾曲状に形成された板部材で小径部を挟持したり、ピン、ねじ等や接着剤等で張り合わせたり、巻き付けたり、あるいは、それらで小径部を覆ったのちに転写して模様を豊かにしても良い。差し込んだり、挟持したり、あるいは張り合わせる部材として、ＣＰ、アセチレン、ゴム、プラスチック等の樹脂材、金属材、木、竹、ガラス、セルロイド、鼈甲を用いることが出来る。
【００１８】
また、前記小径部６に巻き付けるものとしては、紙、布、皮（合成皮革を含む。）ゴム、樹脂等の材料を採用でき、さらに、転写によって種々な模様を施す場合には紙、アルミニウム等の材料を採用することができる。
【００１９】
そして、上記のように構成した耳掻き１にあっては、耳孔内の耳垢を掻き出すには、耳掻きの柄部２を手で持って耳掻き部３を耳孔内に挿入し、耳掻き部３の先端部を耳孔の内面に押し当てて、柄部２を耳孔から引き出せば良いものである。
【００２０】
この場合、力の加減を誤って耳掻き部３を耳孔の内面に強く押し当ててしまっても、棒状部４には弾力性を付加されているので、棒状部４が弾性変形することにより、耳孔の内面に加わる力を緩和させることができることになる。
【００２１】
したがって、耳孔の内面に耳掻き部３で傷を付けるようなことはなく、安全性を高めることができることになる。また、耳掻き部３を耳孔の内面に押し当てる力が不足し、耳垢を掻き出すことが困難になるということがなく、良好な掻き心地を得ることができる。さらに耳掻き部３と柄部２とは一体物から形成するために、使用中に途中から折れて折れ片が耳孔内に取り残されてしまうようなことはなく、安全性を高めることができる。
【００２２】
また、柄部２には、装飾体５が位置して装飾が施されているので、この装飾体５の装飾効果によって非常に体裁が良いものになる。
【００２３】
図３、図４にはこの発明による耳掻きの他の実施の形態が示されていて、この耳掻き１１は、丸棒状の柄部１２と、柄部１２の先端部に設けられる湾曲形状（略Ｃ字形状）の耳掻き部１３とを具えている。
【００２４】
柄部１２および耳掻き部１３は、ばね性を有する金属を素材として一体に形成されるものであって、金属としては、β形チタン合金、ニッケルチタン合金等が挙げられるがこれに限定することなく同様にばね性を有するものであれば良い。
【００２５】
柄部１２と耳掻き部１３との境界部はダイス装置によるスウェージング加工によって柄部１２から順次小径に形成され、その小径の状態で棒状に形成されることで棒状部１４に形成され、その先に大きな耳掻き部１３が形成されるようになっている。
この棒状部１４は小径のために他の部分（柄部１２及び耳掻き部１３）よりも柔らかく形成され、したがって他の部分よりも柔らかい弾性力（ばね性）が付加されている。
【００２６】
さらに、前記柄部１２の後端から中央部まで、あるいは柄部１２の全部を、熱収縮性のあるチューブ等である装飾体１５を被嵌させたものであり、この装飾体１５が柄部１２の模様を形成して体裁を良くするものである。
【００２７】
上記のように柄部１２から棒状部１４に至る間を順次小径にする手段としては、ダイス装置によるスウェージング加工が採用され、このスウェージング加工によって柄部１２と棒状部１４との間を順次小径に形成することができる。
【００２８】
なお、装飾体１５としては、熱収縮性を有するチューブに限定することなく、チューブを差し込んだり、湾曲状に形成された板部材で柄部１２を挟持したり、ピン、ねじ等や接着剤等で張り合わせたり、巻き付けたり、あるいは、それらで柄部１２を覆ったのちに転写して模様を豊かにしても良い。差し込んだり、挟持したり、あるいは張り合わせる部材として、ＣＰ、アセチレン、ゴム、プラスチック等の樹脂材、金属材、木、竹、ガラス、セルロイド、鼈甲を用いることが出来る。
【００２９】
また、前記柄部１２に巻き付けるものとしては、紙、布、皮（合成皮革を含む。）ゴム、樹脂等の材料を採用でき、さらに、転写によって種々な模様を施す場合には紙、アルミニウム等の材料を採用することができる。
【００３０】
そして、上記のように構成した耳掻き１１にあっては、耳孔内の耳垢を掻き出すには、耳掻きの柄部１２を手で持って耳掻き部１３を耳孔内に挿入し、耳掻き部１３の先端部を耳孔の内面に押し当てて、柄部１２を耳孔から引き出せば良いものである。
【００３１】
この場合、力の加減を誤って耳掻き部１３を耳孔の内面に強く押し当ててしまっても、棒状部１４には弾力性を付加させてあるので、その棒状部１４が弾性変形することにより、耳孔の内面に加わる力を緩和させることができることになる。したがって、耳孔の内面に耳掻き部１３で傷を付けるようなことはなく、安全性を高めることができることになる。
【００３２】
また、耳掻き部１３を耳孔の内面に押し当てる力が不足し、耳垢を掻き出すことが困難になるということがなく、良好な掻き心地を得ることができる。さらに耳掻き部１３と柄部１２とは一体物から形成するために、使用中に途中から折れて折れ片が耳孔内に取り残されてしまうようなことはなく、安全性を高めることができる。
【００３３】
また、柄部１２には、装飾体１５が位置して装飾が施されているので、この装飾体１５の装飾効果によって非常に体裁が良いものになる。
【００３４】
【発明の効果】
この発明は前記のように構成したことにより、耳掻き部が設けられた棒状部と柄部との間をスウェージング加工で形成したので全体が流れるように綺麗に形成することができ、しかも、柄部と耳掻き部との間の棒状部に弾力性を付加したので、力を加減を誤って耳掻き部を耳孔の内面に強く押し当ててしまっても、棒状部が弾性変形してその力を緩和させることができる。これにより、耳掻き部で耳孔の内面に傷を付けるようなことがなくなり、また、押し当てる力が不足して耳垢の取り出しが困難になるということはなくなり、良好な掻き心地と安全性の両方を満足させることができる。また、耳掻き部と棒状部と柄部とは一本の素材から一体に形成されているので、使用中に途中から折れてしまって折れ片が耳孔内に取り残されてしまうという恐れは全く無く、安全性を高めることができる。
さらに、柄部に、この素材と異なる素材から形成された部材を配置したので、大きな装飾的な効果を得ることができ、しかも、転写可能に構成した場合には、転写によって種々な装飾を施すことができてさらに大きな装飾効果を得ることができるという効果を有している。
【図面の簡単な説明】
【図１】この発明による耳掻きの一実施の形態を示す概略説明図である。
【図２】図１に示すものの柄部の概略断面図である。
【図３】この発明による耳掻きの他の実施の形態を示す概略説明図である。
【図４】図３に示すものの柄部の概略断面図である。
【図５】従来の耳掻きを示す概略説明図である。
【符号の説明】
１、１１、２１……耳掻き
２、１２、２２……柄部
３、１３、２３……耳掻き部
４、１４……棒状部
５、１５……装飾体
６……小径部
【図１】
2004136014.tif 000003
【図２】
2004136014.tif 000004
【図３】
2004136014.tif 000005
【図４】
2004136014.tif 000006
【図５】
2004136014.tif 000007